(57)【要約】      （修正有）【課題】クリップの破損を防止できるとともに高い保持力を発揮できる構成を提供する。【解決手段】保持部材11の形状は上側が開口した断面コ字状である。保持部材11は側壁11a,11b及び底壁11cを備える。保持部材11の側壁には一対の第1突起21a,21bと、一対の第2突起22a,22bと、一対の受座23a,23bが形成されている。底壁11cの中央には底壁11c貫通して下方に突出した固定軸24が設けられている。固定軸24は底壁11cに対して回転自在に取り付けられている。これにより、長尺ケース10に撓みや位置ズレが生じてもこれに対応できる。【選択図】図３
2010049902.tif 000002
【特許請求の範囲】
【請求項１】
上側が開口した断面コ字状の長尺ケースであって、側壁の内側面に形成される一対の第１内側溝及び一対の第２内側溝と、側壁の外側面に形成される一対の第１外側溝及び一対の第２外側溝と、を有し、前記一対の第１内側溝及び前記一対の第２内側溝はそれぞれ、一方の側壁の内側面に長手方向に連続して形成される溝と他方の側壁の内側面に長手方向に連続して形成される溝とからなり、前記一対の第１外側溝及び前記一対の第２外側溝はそれぞれ、一方の側壁の外側面に長手方向に連続して形成される溝と他方の側壁の外側面に長手方向に連続して形成される溝とからなり、前記第２内側溝は前記第１内側溝よりも下側に位置し、前記第１外側溝は前記第１内側溝と前記第２内側溝との間に位置し、前記第２外側溝は前記第２内側溝よりも下側に位置する、長尺ケースと、
両縁部が前記一対の第１内側溝に挿入されて取り付けられる光透過性のカバーと、
ＬＥＤランプが線状に実装される基板であって、該ＬＥＤランプの実装面が上側となるように両縁部が前記一対の第２内側溝に挿入されて取り付けられる基板と、
上側が開口した断面コ字状であり、両側壁で前記長尺ケースを挟持して保持する可撓性の保持部材であって、側壁の内側面に形成される一対の第１突起と一対の第２突起と一対の受座と、を有し、該一対の第２突起は該一対の第１突起よりも下側に位置し、該一対の受座は該一対の第２突起よりも下側に位置し、前記長尺ケースを保持した状態のとき、該一対の第１突起が前記一対の第１外側溝に嵌入し、該一対の第２突起が前記一対の第２外側溝に嵌入し、該一対の受座が前記長尺ケースの底面に当接する、保持部材と、
を備え、
前記受座の厚みが薄く形成されており、前記保持部材が前記長尺ケースを挟持する際に、前記保持部材の側壁と底壁との境界部を支点として前記保持部材の両側壁が開いて、前記長尺ケースの底壁の両縁部が前記保持部材の前記一対の第２外側溝と前記一対の受座との間に入り込む、
線状照明装置。
【請求項２】
前記保持部材は、前記一対の第１突起及び前記一対の第２突起が形成された位置を除いて、その厚みが一定である、請求項１に記載の線状照明装置。
【請求項３】
前記長尺ケース及び前記保持部材は光透過性である、請求項１又は２に記載の線状照明装置。
【請求項４】
前記基板は両面実装型の基板であって、前記ＬＥＤランプが実装される側と反対側に前記ＬＥＤランプ以外の電子部品が実装される、請求項１〜３のいずれか一項に記載の線状照明装置。
【請求項５】
前記保持部材を回転自在に固定する固定軸が前記保持部材の底壁に備えられる、請求項１〜４のいずれか一項に記載の線状照明装置。
【発明の詳細な説明】
【技術分野】
【０００１】
本発明は線状照明装置の改良に関する。
【背景技術】
【０００２】
従来、長尺の照明装置は設置場所に直接固定（直付け）されたり、保持部材を介して取り付けられたりする。保持部材を介して取り付けられる長尺の照明装置の例として特許文献１に開示されたものがある。特許文献１の照明装置は、照明装置と同じ長さの長尺の取り付けベースを介して取り付けられる。長尺の照明装置の他の例として、特許文献２に開示されたものがある。特許文献２の照明装置では、押出成形により形成された溝付きの長尺ケースを使用し、この溝に基板やレンズを挿入して取り付けており、別途取り付け部材を要しない。特許文献３には、長尺の照明装置の端部に備えられるキャップが開示されている。
【特許文献１】特開２００５−１９２９９号公報
【特許文献２】特開２００７−２７３４５６号公報
【特許文献３】特表２００８−５００７０５号公報
【発明の開示】
【発明が解決しようとする課題】
【０００３】
長尺の照明装置を直付けすると取り付け時に位置ずれが生じやすい上に、取り付け後の位置調整が困難となる。特許文献１の構成では、取り付けベースと照明装置がいずれも長尺であるため、熱による膨張や収縮により大きなゆがみが生じやすく、取り付けが困難となったり、取り付け後に撓みや位置ずれなどが発生して保持力が低下したりする虞がある。
ところで、クリップ状の保持部材を利用して線状照明装置を取り付けることも行われている。クリップ状の保持部材によれば簡素な構成で照明装置を固定することができ、取付作業も簡便である。しかし、クリップ状の保持部材では、破損が生じやすいこと、及びその保持力が問題になる。
そこで、本発明はクリップの破損を防止できるとともに高い保持力を発揮できる構成を提供することを課題とする。また本発明のもう一つの課題は、長尺の照明装置における上記の課題、即ち、取り付けが困難であること、撓み等が生じて保持力が低下することを解決することである。
【課題を解決するための手段】
【０００４】
上記課題を達成するため、本発明は次の構成からなる。即ち、
上側が開口した断面コ字状の長尺ケースであって、側壁の内側面に形成される一対の第１内側溝及び一対の第２内側溝と、側壁の外側面に形成される一対の第１外側溝及び一対の第２外側溝と、を有し、前記一対の第１内側溝及び前記一対の第２内側溝はそれぞれ、一方の側壁の内側面に長手方向に連続して形成される溝と他方の側壁の内側面に長手方向に連続して形成される溝とからなり、前記一対の第１外側溝及び前記一対の第２外側溝はそれぞれ、一方の側壁の外側面に長手方向に連続して形成される溝と他方の側壁の外側面に長手方向に連続して形成される溝とからなり、前記第２内側溝は前記第１内側溝よりも下側に位置し、前記第１外側溝は前記第１内側溝と前記第２内側溝との間に位置し、前記第２外側溝は前記第２内側溝よりも下側に位置する、長尺ケースと、
両縁部が前記一対の第１内側溝に挿入されて取り付けられる光透過性のカバーと、
ＬＥＤランプが線状に実装される基板であって、該ＬＥＤランプの実装面が上側となるように両縁部が前記一対の第２内側溝に挿入されて取り付けられる基板と、
上側が開口した断面コ字状であり、両側壁で前記長尺ケースを挟持して保持する可撓性の保持部材であって、側壁の内側面に形成される一対の第１突起と一対の第２突起と一対の受座と、を有し、該一対の第２突起は該一対の第１突起よりも下側に位置し、該一対の受座は該一対の第２突起よりも下側に位置し、前記長尺ケースを保持した状態のとき、該一対の第１突起が前記一対の第１外側溝に嵌入し、該一対の第２突起が前記一対の第２外側溝に嵌入し、該一対の受座が前記長尺ケースの底面に当接する、保持部材と、
を備え、
前記受座の厚みが薄く形成されており、前記保持部材が前記長尺ケースを挟持する際に、前記保持部材の側壁と底壁との境界部を支点として前記保持部材の両側壁が開いて、前記長尺ケースの底壁の両縁部が前記保持部材の前記一対の第２外側溝と前記一対の受座との間に入り込む、
線状照明装置である。
【発明の効果】
【０００５】
本発明の線状照明装置では、長尺ケースを保持した状態のとき、一対の第１突起が一対の第１外側溝に嵌入し、一対の第２突起が一対の第２外側溝に嵌入し、一対の受座が長尺ケースの底面に当接する。そして保持部材が長尺ケースを挟持する際、長尺ケースの底壁の両縁部が保持部材の一対の第２突起と一対の受座との間に入り込む。このように保持部材は長尺ケースの両側壁と底面を介して長尺ケースを保持するため、高い保持力が得られる。さらに、受座の厚みが薄いため、受座よりも下側である保持部材の側壁と底壁の境界部を支点として保持部材の両側壁が開く。そのため、小さい開き角度で保持部材の両側壁の間に挟入して挟持させることができる。従って、受座より上側で開いてしまう場合（挟持させる際に必要な開き角度が大きい場合）に比較して保持部材への負荷が軽減する。これにより、保持部材の破損を防止できる。また、保持部材の保持力の向上も図れる。
【０００６】
上記構成において、長尺ケースは概ね、直線状、曲線状などの線状である。長尺ケースの長手方向の長さは、特に限定されないが、例えば、１００ｍｍ〜２０００ｍｍ、好ましくは２００ｍｍ〜１５００ｍｍ、より好ましくは３００ｍｍから５００ｍｍとすることができる。過度に長尺とならないため取り扱いが容易だからである。長尺ケースは長手方向に一様の形状であることが好ましい。位置毎に保持部材を用意することなく、後述の保持部材によって、任意の位置での固定が可能だからである。長尺ケースの成形方法は限定されないが、押出成形で成形することが好ましい。長手方向に一様の形状に成形することが容易だからである。
【０００７】
本発明の線状照明装置では光源としてＬＥＤランプを使用する。ＬＥＤランプは小型であること、駆動電力が小さいこと、発熱量が少ないこと、長寿命であることなど様々な利点を有する。ＬＥＤランプの種類は特に限定されず、表面実装（ＳＭＤ）タイプ、砲弾タイプ（レンズタイプ）、チップオンボード（ＣＯＢ）タイプ等、種々のタイプのＬＥＤランプを採用できる。ＳＭＤタイプを採用することが好ましい。ＳＭＤタイプは小型であるため、装置の小型化に寄与するからである。ＬＥＤランプの発光色は任意に選択できる。例えば、白色、アンバー、赤、緑、青等の可視領域の発光波長を有するＬＥＤランプを採用できる。ＬＥＤチップの光の一部を蛍光体で波長変換し、ＬＥＤチップの光と蛍光とが混合した光を放射するＬＥＤランプを使用することもできる。蛍光体は例えばＬＥＤランプの封止樹脂に含有させることができる。封止樹脂の表面に蛍光体を含む層を設けてもよい。
【０００８】
同種又は異種のＬＥＤチップが複数個内蔵されたＬＥＤランプを光源として使用することもできる。例えば、赤、緑、青の各色のＬＥＤチップを一つの基板上にマウントしたＬＥＤランプ（３ｉｎ１ＬＥＤランプ）を用い、各ＬＥＤチップの発光態様を制御すれば、所望の色を発光させることができる。これにより、所望の発光色で発光する線状照明装置を構成することができる。例えば、電球色で発光する線状照明装置とすることができる。
【０００９】
本発明では複数個のＬＥＤランプを使用して、線状に配列するように基板に実装する。複数個のＬＥＤランプが配列される方向は、基板を長尺ケースに取り付けた後に長尺ケースの長手方向に沿う方向である。例えば、複数個のＬＥＤランプは一列に配列するほか、二列、三列に配列しても良い。複数個のＬＥＤランプの中に他と異なる発光色のＬＥＤランプが含まれる場合には、異なる発光色のＬＥＤランプが所定の間隔で配置されるようにしてもよい。
【００１０】
本発明の第２の構成では、前記保持部材は第１突起及び第２突起が形成される位置を除いてその厚さが一定である。これにより、保持部材の強度を低下さることなく、本発明の作用である保持部材の破損防止及び保持部材の保持力向上が発揮される。また、保持部材の成形が容易となる。保持部材の成形方法は限定されず、押出成形、射出成形など公知の方法を採用できる。
【００１１】
本発明の第３の構成では、前記長尺ケース及び保持部材が光透過性である。これにより、ＬＥＤランプの光の一部が長尺ケース及び保持部材を透過して外部に放出される。これにより光の利用率が向上する。また、長尺ケースの幅方向に放出される光が増加し、より広い範囲を照明することができる。
【００１２】
本発明の第４の構成では、前記基板は両面実装型の基板であって、ＬＥＤランプが実装される側と反対側にＬＥＤランプ以外の電子部品が実装される。これにより、ＬＥＤランプの実装領域の確保が容易となる。また、上面側から観察した場合の意匠性が向上する。また、ＬＥＤランプの光がＬＥＤランプ以外の電子部品による反射・吸収などの干渉を防止でき、光の利用率が向上するとともに配光制御が良好となる。
【００１３】
本発明の第５の構成では、前記保持部材を回転自在に固定する固定軸が、保持部材の底壁に備えられる。これにより、保持部材が回転自在に固定されるため、長尺ケースに撓みや位置ズレが生じてもこれに対応できる。
以下、図面を参照しながら本発明をより詳細に説明する。
【発明を実施するための最良の形態】
【００１４】
本発明の実施例に係る線状照明装置１の斜視図を図１に示す。図１に示すように、線状照明装置１は壁面２の上方に取り付けられたボックス３内に収納されている。線状照明装置１は、壁面２を照明することによって、室内を間接的に照明する間接照明として使用される。
ボックス３の形状は上面及び背面一部が開口した箱状であって、その内側底面に線状照明装置１が配置されている。図２に線状照明装置１を抜き出してその一部透過斜視図を示す。線状照明装置１は長尺ケース１０、固定部材１１、基板１２、ＬＥＤランプ１３、カバー１４、キャップ１５、１６を備える。長尺ケース１０は無色透明のアクリル樹脂製であって、幅Ｗ１が約１６ｍｍ、長さＬ１が約３００ｍｍである。長尺ケース１０の中央付近には保持部材１１が取り付けられる。保持部材１１も無色透明のアクリル樹脂製であって、その長さは約３０ｍｍである。長尺ケース１０の内部には、基板１２とその上面に実装されるＬＥＤランプ１３を備えられ、上面には無色透明のアクリル樹脂製のカバー１４が設けられている。
【００１５】
図３に図２におけるＡ−Ａ線断面図を示す。長尺ケース１０の形状は上側が開口した断面コ字状である。長尺ケース１０は、側壁１０ａ、１０ｂ及び底壁１０ｃからなる。長尺ケース１０の側壁には一対の第１内側溝１７ａ、１７ｂと、一対の第２内側溝１８ａ、１８ｂが形成されている。詳しくは、側壁１０ａの内側面に第１内側溝１７ａが形成され、側壁１０ｂの内側面に第１内側溝１７ｂが形成されている。同様に一対の第２内側溝１８ａ、１８ｂが形成されている。一対の第１内側溝１７ａ、１７ｂは長尺ケース１０の底壁１０ｃの上面から約８．０ｍｍの高さに位置している。一対の第２内側溝１８ａ、１８ｂは長尺ケース１０の底壁１０ｃの上面から約４．０ｍｍの高さに位置している。このように、一対の第２内側溝１８ａ、１８ｂは一対の第１内側溝１７ａ、１７ｂよりも下側で、且つ、底壁１０ｃから離間した位置に設けられる。なお、ここでいう「下側」とは長尺ケース１０の開口側と反対方向であって、即ち、底壁１０ｃ側を指す。第１内側溝１７ａ、１７ｂ及び一対の第２内側溝１８ａ、１８ｂはそれぞれ、長尺ケース１０の長手方向に連続している。
一方、長尺ケース１０の側壁の外側には一対の第１外側溝１９ａ、１９ｂと一対の第２外側溝２０ａ、２０ｂが形成されている。詳しくは、側壁１０ａに第１外側溝１９ａが形成され、側壁１０ｂの外側面には第１外側溝１９ｂが形成されている。同様に側壁１０ａに第２外側溝２０ａが形成され、側壁１０ｂの外側面には第２外側溝２０ｂが形成されている。一対の第１外側溝１９ａ、１９ｂは底壁１０ｃの上面から約６．０ｍｍの高さに位置しており、一対の第１外側溝１９ａ、１９ｂは一対の第１内側溝１７ａ、１７ｂと一対の第２内側溝１８ａ、１８ｂとの間に位置している。一対の第２外側溝２０ａ、２０ｂは底壁１０ｃの上面から約２．０ｍｍの高さに位置しており、一対の第２外側溝２０ａ、２０ｂは一対の第２内側溝１８ａと底壁１０ｃとの間に位置している。
【００１６】
図３に示すように、保持部材１１の形状は上側が開口した断面コ字状である。保持部材１１は側壁１１ａ、１１ｂ及び底壁１１ｃを備える。保持部材１１の側壁には一対の第１突起２１ａ、２１ｂと、一対の第２突起２２ａ、２２ｂと、一対の受座２３ａ、２３ｂが形成されている。詳しくは、側壁１１ａに第１突起２１ａが形成され、側壁１１ｂに第１突起２１ｂが形成されている。第１突起２１ａの下側に第２突起２２ａが形成され、第１突起２１ｂの下側に第２突起２２ｂが形成されている。第２突起２２ａの下側には側壁１１ａが内側に張り出して底壁１１ｃに略平行な受座２３ａが形成され、第２突起２２ｂの下側には側壁１１ｂが内側に張り出して底壁１１ｃに略平行な受座２３ｂが形成されている。底壁１１ｃの中央には底壁１１ｃ貫通して下方に突出した固定軸２４が設けられている。固定軸２４は底壁１１ｃに対して回転自在に取り付けられている。これにより、長尺ケース１０に撓みや位置ズレが生じてもこれに対応できる。保持部材１１は、一対の第１突起２１ａ、２１ｂが形成された位置と、一対の第２突起２２ａ、２２ｂが形成された位置とを除いて、その厚みが全体で約１．６ｍｍである。従って、受座２３ａが位置する部分が厚くなっていない（受座２３ａ、２３ｂの厚みが薄く形成されている）。
【００１７】
図２に示すように、基板１２には２０個のＬＥＤランプ１３が長尺ケース１０の長手方向に一列の線状に実装されている。図３に示すように、基板１２は一方の縁部１２ａが第２内側溝１８ａに挿入され、他方の縁部１２ｂが第２内側溝１８ｂに挿入されて、ＬＥＤランプ１３の実装側が長尺ケース１０の上側（開口側）となるように長尺ケース１０の内部に収納される。なお、基板１２は両面実装基板であって、ＬＥＤランプ１３の実装側と反対側には抵抗やコンデンサ等の電子部品２５が実装されている。一方、カバー１４は一方の縁部１４ａが第１内側溝１７ａに挿入され、他方の縁部１４ｂが第２内側溝１７ｂに挿入されて、ＬＥＤランプ１３を覆うように長尺ケース１０に収納される。
【００１８】
図２に示すように、長尺ケース１０の端部にはキャップ１５、１６が装着される。図４にキャップ１５の斜視図を示す。図４に示すように、キャップ１５は固定用孔２６、配線取り出し用孔２７、膨出部２８、台座部２９を備える。図５に図２におけるＢ−Ｂ線断面のキャップ１５近傍一部拡大図を示す。図５に示すように、膨出部２８の裏面にはビス保持部２８ａが設けられている。長尺ケース１０の底壁１０ｃの端部近傍には固定孔３０が設けられている。キャップ１５はビス保持部２８ａと固定孔３０を介してビス３０により、長尺ケース１０の端部に取り付けられる。キャップ１５が長尺ケース１０に取り付けられた状態において、膨出部２８の壁面２８ｂが基板１２の端面に当接するとともに台座部２９の上面に基板１２の裏面が当接する。これにより、取り付け状態において基板１２のがたつきが防止される。さらにキャップ１５の固定用孔２６に固定ねじ３２が取り付けられる。取り付けられた状態において配線取り出し用孔２７を通じて、基板１２へ接続される配線（図示せず）が設けられる。
【００１９】
図６にキャップ１６の斜視図を示す。キャップ１６は膨出部３３、台座部３４を備える。膨出部３３の裏面には長尺ケース１０への取り付け用のビス保持部３３ａを備える。キャップ１６はキャップ１５と反対側の長尺ケース１０の端部にビス保持部３３ａを介して取り付けられる。キャップ１６が取り付けられた状態においてキャップ１５と同様に、膨出部３３の壁面３３ｂが基板１２の端面に当接するとともに台座部３４の上面に基板１２の裏面が当接して基板１２のがたつきが防止される。
【００２０】
このように構成された線状照明装置１によれば、図３に示すように、長尺ケース１０を保持した状態のとき、一対の第１突起２１ａ、２１ｂが一対の第１外側溝１９ａ、１９ｂに嵌入し、一対の第２突起２２ａ、２２ｂが一対の第２外側溝２０ａ、２０ｂに嵌入し、一対の受座２３ａ、２３ｂが長尺ケース１０の底壁１０ｃに当接する。そして保持部材１１が長尺ケース１０を挟持する際、長尺ケース１０の底壁１０ｃの両縁部１０ｄ、１０ｅが保持部材１０の一対の第２突起２２ａ、２２ｂと一対の受座２３ａ、２３ｂとの間に入り込む。このように保持部材１１は長尺ケース１０の両側壁１０ａ、１０ｂと底壁１０ｃを介して長尺ケース１０を保持するため、高い保持力が得られる。さらに、受座２３ａ、２３ｂの厚みが約１．６ｍｍと薄いため、受座２３ａ、２３ｂよりも下側である保持部材１０の側壁１１ａ、１１ｂと底壁１１ｃの境界部１１ｄ、１１ｅを支点として保持部材１０の側壁１１ａ、１１ｂが開く。そのため、小さい開き角度で保持部材１０の側壁１１ａ、１１ｂの間に挟入して挟持させることができ、保持部材１０の破損を防止できる。また、保持部材１０の保持力の向上も図れる。さらには、長尺ケース１０及び保持部材１１が透明のアクリル部材であるため、ＬＥＤランプ１３の光の一部が長尺ケース１０及び保持部材１１を透過して外部に放出される。これにより、光の利用率が向上する。また、長尺ケース１０の幅方向に放出される光が増加し、より広い範囲を照明できる。また、長尺ケース１０の両側壁１０ａ、１０ｂに形成された各溝１７ａ、１７ｂ、１９ａ、１９ｂがそこに到達した光を拡散するため、長尺ケース１０の幅方向に一層広く照明できる。このため、間接照明として好適に用いることができる。
【産業上の利用可能性】
【００２１】
本発明の線状照明装置は、様々な照明用途に使用可能である。例えば、車両室内や建物の室内の照明に使用される。
【００２２】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
本明細書の中で明示した論文、公開特許公報、及び特許公報などの内容は、その全ての内容を援用によって引用することとする。
【図面の簡単な説明】
【００２３】
【図１】図１は本発明の実施例である線状照明装置１の斜視図である。
【図２】図２は線状照明装置１の一部透過斜視図である。
【図３】図３は図２におけるＡ−Ａ線断面図である。
【図４】図４はキャップ１５の斜視図である。
【図５】図５は図２におけるＢ−Ｂ線断面のキャップ１５近傍一部拡大図である。
【図６】図６はキャップ１６の斜視図である。
【符号の説明】
【００２４】
１  線状照明装置
１０  長尺ケース
１１  保持部材
１２  基板
１３  ＬＥＤランプ
１４  カバー
１５、１６  キャップ
１７ａ、１７ｂ  第１内側溝
１８ａ、１８ｂ  第２内側溝
１９ａ、１９ｂ  第１外側溝
２０ａ、２０ｂ  第２外側溝
２１ａ、２１ｂ  第１突起
２２ａ、２２ｂ  第２突起
２３ａ、２３ｂ  受座
【図１】
2010049902.tif 000003
【図２】
2010049902.tif 000004
【図３】
2010049902.tif 000005
【図４】
2010049902.tif 000006
【図５】
2010049902.tif 000007
【図６】
2010049902.tif 000008